(57)【要約】【課題】  組立性が改善された照明器具を提供する。【解決手段】  発光ダイオード１０が収納される収納凹部２０、並びに、発光ダイオード１０に電気的に接続されたケーブル３が挿通されるケーブル挿通部２２を有する器具本体２と、器具本体２に結合して器具本体２との間にケーブル３を挟む張力止め５とを備える。ケーブル挿通部２２は、収納凹部２０の開口縁に設けられて収納凹部２０の内外を連通させる溝からなる。ケーブル挿通部２２へのケーブル３の導入と、器具本体２に対する張力止め５の取付とを、それぞれ収納凹部２０に発光ダイオード１０を収納する方向と同じ方向から行うことができる。これにより、ケーブル挿通部２２が例えば収納凹部２０の内底面に開口した貫通穴とされる場合に比べて組立性が改善される。【選択図】図１
2014235918.tif 000002
【特許請求の範囲】
【請求項１】
電気的な光源が収納される収納凹部、並びに、前記光源に電気的に接続されたケーブルが挿通されるケーブル挿通部を有する器具本体と、
前記器具本体に結合して前記器具本体との間に前記ケーブルを挟む張力止めとを備え、
前記ケーブル挿通部は、前記収納凹部の開口縁に設けられて前記収納凹部の内外を連通させる溝からなることを特徴とする照明器具。
【請求項２】
透光性を有する材料からなり前記器具本体に結合して前記収納凹部の開口を覆う透光パネルを備え、
前記張力止めには、前記器具本体との間に前記透光パネルを挟むパネル挟み部が一体に設けられていることを特徴とする請求項１記載の照明器具。
【発明の詳細な説明】
【技術分野】
【０００１】
本発明は、照明器具に関するものである。
【背景技術】
【０００２】
従来から、図９に示すように、発光ダイオード１０が収納される収納凹部２０を有する器具本体２を備える照明器具が提供されている（例えば、特許文献１参照）。以下、上下方向は図９を基準とする。すなわち、収納凹部２０が開口した方向を下方向と呼ぶ。
【０００３】
発光ダイオード１０を基板１１に実装してなる光源ブロック１は、収納凹部２０の内底面に、例えばねじ止めによって固定される。発光ダイオード１０は外部からケーブル３を介して供給される電力によって点灯する。
【０００４】
また、収納凹部２０内には、下方に向かって内径が大きくされた筒形状の反射部４１１を有する反射板４１が、反射部４１１によって発光ダイオード１０を囲む形で収納及び固定される。また、反射板４１は、反射部４１１を囲む枠部４１２を有し、この枠部４１２が収納凹部２０の内周面に当接することで器具本体２に対して位置決めされる。反射部４１１の内周面は、白色または鏡面とされており、発光ダイオード１０の光を下方に配光する。
【０００５】
さらに、上記の照明器具は、透光性を有する材料からなり収納凹部２０を閉塞する円板形状の透光パネル４２を備える。発光ダイオード１０の光は、透光パネル４２を通じて下方に出射する。透光パネル４２は、３本のねじ８２によって反射板４１とともに収納凹部２０の開口の周囲にねじ止め固定される円環形状の押え板４３により、収納凹部２０からの脱落を防止される。
【０００６】
また、図１０及び図１１に示すように、器具本体２の上面（つまり収納凹部２０の外底面）には放熱フィン２１が突設されている。放熱フィン２１の間には、上方に開口してケーブル３の一部が収納されるケーブル収納室２１０が形成されている。ケーブル３は、収納凹部２０の内底面とケーブル収納室２１０の内底面とに開口した貫通穴からなるケーブル挿通部（図示せず）を通じてケーブル収納室２１０内から収納凹部２０内に導入される。さらに、ケーブル３は、ケーブル収納室２１０の内底面に突設された巻回凸部２１１に巻回された後で、ケーブル収納室２１０の一方側の壁に設けられた挿通切り欠き２１２を通じてケーブル収納室２１０の側方に引き出される。また、上記の照明器具は、巻回凸部２１１にねじ止めされて上方から見てケーブル収納室２１０を覆うとともにケーブル３を挿通切り欠き２１２の内面との間に挟む張力止め５を備える。
【先行技術文献】
【特許文献】
【０００７】
【特許文献１】特開２０１２−４８９９６号公報
【発明の概要】
【発明が解決しようとする課題】
【０００８】
上記の照明器具では、組立時、まず器具本体２の収納凹部２０の開口を上側に向けた状態で器具本体２に対して光源ブロック１を固定してケーブル３をケーブル挿通部に挿通した後、反射板４１と透光パネル４２と押え板４３とを器具本体２に固定する。その後、器具本体２の上下を反転させて収納凹部２０の開口を下側に向けた状態で、巻回凸部２１１に対するケーブル３の巻回と挿通切り欠き２１２を通じたケーブル３の引き出しと張力止め５の取り付けとを行う。
【０００９】
すなわち、上記の照明器具では、組立時に器具本体２を少なくとも１回は上下反転させる必要があり、比較的に組立性が低かった。
【００１０】
本発明は、上記事由に鑑みて為されたものであり、その目的は、組立性が改善された照明器具を提供することにある。
【課題を解決するための手段】
【００１１】
本発明の照明器具は、電気的な光源が収納される収納凹部、並びに、前記光源に電気的に接続されたケーブルが挿通されるケーブル挿通部を有する器具本体と、前記器具本体に結合して前記器具本体との間に前記ケーブルを挟む張力止めとを備え、前記ケーブル挿通部は、前記収納凹部の開口縁に設けられて前記収納凹部の内外を連通させる溝からなることを特徴とする。
【００１２】
上記の照明器具において、透光性を有する材料からなり前記器具本体に結合して前記収納凹部の開口を覆う透光パネルを備え、前記張力止めには、前記器具本体との間に前記透光パネルを挟むパネル挟み部が一体に設けられていることが望ましい。
【発明の効果】
【００１３】
本発明によれば、ケーブル挿通部へのケーブルの導入と、器具本体に対する張力止めの取付とを、それぞれ収納凹部に光源を収納する方向と同じ方向から行うことができる。これにより、ケーブル挿通部が例えば収納凹部の内底面に開口した貫通穴とされる場合に比べて組立性が改善される。
【図面の簡単な説明】
【００１４】
【図１】（ａ）〜（ｃ）はそれぞれ本発明の実施形態の要部を示し、（ａ）は分解斜視図、（ｂ）は張力止めが分離された状態を示す斜視図、（ｃ）は斜視図である。
【図２】同上を示す平面図である。
【図３】同上を示す、図２のＡ−Ａ断面での断面図である。
【図４】同上を示す斜視図である。
【図５】同上を示す分解斜視図である。
【図６】（ａ）〜（ｃ）はそれぞれ同上の器具本体を示し、（ａ）は正面図、（ｂ）は底面図、（ｃ）は左側面図である。
【図７】同上の器具本体を示す斜視図である。
【図８】同上の器具本体を示す、図７とは異なる方向から見た斜視図である。
【図９】従来の照明器具を示す分解斜視図である。
【図１０】同上において張力止めが取り外された状態を示す斜視図である。
【図１１】同上を示す斜視図である。
【発明を実施するための形態】
【００１５】
本発明の照明器具は、電気的な光源（発光ダイオード１０）が収納される収納凹部２０、並びに、光源（発光ダイオード１０）に電気的に接続されたケーブル３が挿通されるケーブル挿通部２２を有する器具本体２を有する。また、本発明の照明器具は、器具本体２に結合して器具本体２との間にケーブル３を挟む張力止め５を備え、ケーブル挿通部２２は、収納凹部２０の開口縁に設けられて収納凹部２０の内外を連通させる溝からなることを特徴とする。
【００１６】
上記の照明器具において、透光性を有する材料からなり器具本体２に結合して収納凹部２０の開口を覆う透光パネル４２を備え、張力止め５には、器具本体２との間に透光パネル４２を挟むパネル挟み部（第１片５１）が一体に設けられていることが好ましい。
【００１７】
以下、本発明を実施するための最良の形態について、図面を参照しながら説明する。
【００１８】
本実施形態は、図１〜図４に示すように、電気的な光源としての発光ダイオード１０が収納される収納凹部２０を有する器具本体２を備える。以下、上下方向は図１（ａ）を基準として説明する。つまり、収納凹部２０が開口した方向を下方と呼ぶ。
【００１９】
器具本体２は、収納凹部２０の外底面から側方にかけて突設された放熱フィン２１を有するものの、放熱フィン２１を除けば全体として有底円筒形状となっている。
【００２０】
発光ダイオード１０は、発光ダイオード１０が実装された基板１１と、環形状であって発光ダイオード１０を囲む形で基板１１に結合する反射枠１２とともに光源ブロック１を構成する。反射枠１２の内周面は、下方へ向かって内径を大きくするように傾斜するとともに、発光ダイオード１０の光を反射するように鏡面または白色とされていることで、発光ダイオード１０の光を下方へ配光する。上記の光源ブロック１は、例えばねじ止めによって収納凹部２０の内底面に固定される。基板１１を介して発光ダイオード１０に電気的に接続された２本の電線３１は、結束されてケーブル３を構成する。
【００２１】
また、収納凹部２０内において光源ブロック１の下側には、下方に向かって内径が大きくされた筒形状の反射部４１１を有する反射板４１が、反射部４１１によって発光ダイオード１０の光軸を囲む形で収納及び固定される。反射部４１１の内周面は、白色または鏡面とされており、発光ダイオード１０の光を下方に配光する。また、反射板４１は、反射部４１１を囲む円環形状の枠部４１２を有し、収納凹部２０の内周面には図６〜図８に示すように反射板４１の枠部４１２に上方から当接する複数個の支持凸部２０１が突設されている。反射板４１は、支持凸部２０１によって上方への変位を禁止されるとともに、枠部４１２が支持凸部２０１の下側において収納凹部２０の内周面に当接することで、上下方向に直交する方向への変位を禁止される。
【００２２】
さらに、上記の照明器具は、透光性を有する材料からなり収納凹部２０を閉塞する透光パネル４２を備える。発光ダイオード１０の光は、透光パネル４２を通じて下方に出射する。透光パネル４２は、下方から見て反射板４１の反射部４１１を覆う窓部４２１と、窓部４２１を囲む円環形状の枠部４２２とを備える。窓部４２１は、枠部４２２よりも僅かに下方へ膨出している。また、収納凹部２０の内周面には、下側の内径を上側の内径よりも大きくする支持段２０２が設けられており、透光パネル４２は上面に支持段２０２が当接することによって器具本体２に対する上方への変位を禁止される。また、透光パネル４２は、それぞれ枠部４２２から径方向の外向きに突出した２個の係合片４２３と１個のねじ止め片４２４とを備える。２個の係合片４２３と１個のねじ止め片４２４とは、枠部４２２の周方向にほぼ等間隔に（つまり約１２０°おきに）配置されている。また、収納凹部２０の内周面において支持段２０２の下側には、それぞれ下方へ開口して係合片４２３が導入される２個の導入凹部２０３と、下方へ開口してねじ止め片４２４が導入されるねじ止め凹部２０４とが設けられている。さらに、各係合片４２３はそれぞれ先端部を下方から見て反時計回り方向に突出させるＬ字形状とされている。また、各導入凹部２０３において下方から見て反時計回り方向側の壁には、係合片４２３の先端部が係入可能な係合凹部２０５（図７参照）が設けられている。すなわち、透光パネル４２を器具本体２に取り付ける際には、各係合片４２３をそれぞれ導入凹部２０３に導入してから透光パネル４２を器具本体２に対して下方から見て反時計回り方向に回転させる。すると、各係合片４２３の先端部がそれぞれ係合凹部２０５に係入することで、器具本体２から下方への透光パネル４２の脱落が防止される。
【００２３】
また、器具本体２は、収納凹部２０の開口縁（つまり器具本体２の下面）に設けられて収納凹部２０の内外を連通させる溝からなるケーブル挿通部２２を有する。ケーブル挿通部２２は、器具本体２の径方向の内外と下方とに開放された第１溝２２１と、下端が第１溝２２１に連通して器具本体２の外周面上において上方に延長された第２溝２２２とを有する。さらに、器具本体２の外周面には、ケーブル３をガイドするガイド凸部２３が突設されている。ガイド凸部２３の下面には、一端が第２溝２２２の上端に連通して他端が器具本体２の径方向の外側へ開放された溝２３１が設けられている。
【００２４】
さらに、本実施形態は、器具本体２に結合して器具本体２との間にケーブル３を挟む張力止め５を備える。張力止め５は例えば金属板に曲げ加工と打ち抜き加工とが施されたものである。張力止め５は、下方から見てねじ止め凹部２０４とケーブル挿通部２２とを覆う第１片５１と、器具本体２の径方向の外側から見てケーブル挿通部２２を覆うとともにガイド凸部２３との間にケーブル３を挟む第２片５２とを一体に有する。器具本体２においてねじ止め凹部２０４内にはねじ穴２０６が設けられており、張力止め５は、第１片５１に設けられたねじ挿通穴５１０（図５参照）に挿通されて上記のねじ穴２０６に螺合するねじ８１により、器具本体２にねじ止め固定されている。また、透光パネル４２のねじ止め片４２４は、上記のねじ８１が挿通される切り欠き４２５を有する。透光パネル４２は、上記の切り欠き４２５の内面において上記のねじ８１を挟むことで、器具本体２に対する回転であって係合凹部２０５に対する係合片４２３の係合を解除する方向の回転を禁止される。つまり、器具本体２に対する張力止め５のねじ止め固定とともに透光パネル４２も固定される。また、第１片５１は、器具本体２との間に透光パネル４２を挟むパネル挟み部である。これにより、図９〜図１１の従来例のように張力止め５の固定と透光パネル４２の固定とに別途のねじ８１，８２を必要とする場合に比べ、組立性が改善される。
【００２５】
また、ガイド凸部２３の溝２３１の互いに対向する内面にはそれぞれ保持溝２３２が設けられている。張力止め５の第２片５２は、上端部の幅方向（器具本体２の周方向に向けられる方向）の両端部をそれぞれ保持溝２３２に収納されることで、器具本体２に対して位置決めされる。さらに、張力止め５は、第２片５２の上端とガイド凸部２３の溝２３１の底面との間にケーブル３を挟むことで、張力止めの効果を奏する。
【００２６】
さらに、本実施形態は、天井材に設けられた埋込穴（図示せず）に埋込配設されるものである。そして、本実施形態は、埋込穴の周囲において天井材の下面に当接する鍔部６１を有して器具本体２の下側に結合する枠体６と、枠体６の鍔部６１との間に天井材を挟む３個の取付ばね７とを備える。詳しく説明すると、枠体６は、全体として軸方向を上下方向に向けた円筒形状の外筒部６２と、下端部を外筒部６２の内周面に連結され上方へ向かって内径及び外径を小さくするように傾斜した反射部６３とを有する。反射部６３は上端部において透光パネル４２の窓部４２１を囲む。また、反射部６３の内周面は鏡面または白色とされており、透光パネル４２を通じて出射した発光ダイオード１０の光を下方へ配光する。鍔部６１は外筒部６２の下端の全周にわたって径方向の外向きに突設されている。また、各取付ばね７はそれぞれ外筒部６２の外周面に固定され、外筒部６２の周方向に略等間隔に配置されている。各取付ばね７を枠体６に固定する手段としては、嵌合や凹凸係合やねじ止めといった周知の手段を適宜用いることができる。
【００２７】
上記構成によれば、ケーブル挿通部２２へのケーブル３の導入と、器具本体２に対する張力止め５の取付とを、それぞれ収納凹部２０に発光ダイオード１０を収納する方向と同じ方向（上記説明中の定義での下方）から行うことができる。つまり、器具本体２に対する光源ブロック１等の固定と、ケーブル挿通部２２へのケーブル３の導入と、器具本体２に対する張力止め５の取付とを、全て、器具本体２の収納凹部２０の開口を上側に向けた状態で上方から行うことができる。これにより、例えば図９〜図１１の従来例のようにケーブル挿通部２２が収納凹部２０の内底面に開口した貫通穴とされる場合に比べ、組立性が改善される。
【００２８】
また、器具本体２の外面上でケーブル３を引き回す範囲（ケーブル挿通部２２，ガイド凸部２３）の面積が、図９〜図１１の例（ケーブル収納室２１０）に比べて小さくされているから、放熱フィン２１を増加させることによる放熱性の改善が可能となっている。
【符号の説明】
【００２９】
２  器具本体
３  ケーブル
５  張力止め
１０  発光ダイオード（光源）
２０  収納凹部
２２  ケーブル挿通部
４２  透光パネル
５１  第１片（パネル挟み部）
【図１】
2014235918.tif 000003
【図２】
2014235918.tif 000004
【図３】
2014235918.tif 000005
【図４】
2014235918.tif 000006
【図５】
2014235918.tif 000007
【図６】
2014235918.tif 000008
【図７】
2014235918.tif 000009
【図８】
2014235918.tif 000010
【図９】
2014235918.tif 000011
【図１０】
2014235918.tif 000012
【図１１】
2014235918.tif 000013